(57)【要約】【課題】基本発振周波数の帯域を広くし、発生するノイズ成分の尖頭値を低減する。【解決手段】直流電源１電圧を高周波電圧に変換するインバータを備える。前記高周波電圧を受けて点灯する蛍光ランプ１３を備える。前記インバータは高周波周期でオンオフを繰り返しそれによって前記高周波電圧を形成するスイッチング素子３・４と該スイッチング素子３・４の前記オンオフを制御するスイッチング制御回路２を含む。前記スイッチング制御回路２に前記高周波周期を上げかつ下げる動作を繰り返す可変手段を設ける。【選択図】　　図１
2004127870.tif 000002
【特許請求の範囲】
【請求項１】
直流電源電圧を高周波電圧に変換するインバータを備え、前記高周波電圧を受けて点灯する蛍光ランプを備え、前記インバータは高周波周期でオンオフを繰り返しそれによって前記高周波電圧を形成するスイッチング素子と該スイッチング素子の前記オンオフを制御するスイッチング制御回路を含み、前記スイッチング制御回路に前記高周波周期を上げかつ下げる動作を繰り返す可変手段を設けたことを特徴とする蛍光灯点灯装置。
【発明の詳細な説明】
【０００１】
【発明の属する技術分野】
本発明は、直流電源電圧を高周波電圧に変換するインバータを備え、前記高周波電圧を受けて点灯する蛍光ランプを備え、前記インバータは高周波周期でオンオフを繰り返しそれによって前記高周波電圧を形成するスイッチング素子と該スイッチング素子の前記オンオフを制御するスイッチング制御回路を含み、前記スイッチング制御回路に前記高周波周期を上げかつ下げる動作を繰り返す可変手段を設けたことを特徴とする蛍光灯点灯装置に関するものである。
【０００２】
【従来の技術】
直流電源電圧を高周波電圧に変換するインバータを備え、前記高周波電圧を受けて点灯する蛍光ランプを備え、前記インバータは高周波周期でオンオフを繰り返しそれによって前記高周波電圧を形成するスイッチング素子と該スイッチング素子の前記オンオフを制御するスイッチング制御回路を形成する。
【０００３】
【発明が解決しようとする課題】
直流電源電圧を高周波電圧に変換するインバータの高周波周期が一定になっているため、基本発振周波数の帯域が狭く、その発振周波数によって発生するノイズ成分の尖頭値が高くなっていた。
本発明の目的は直流電源電圧を高周波電圧に変換するインパータの高周波周期を一定の幅で可変させることにより、基本発振周波数の帯域を広くし、発生するノイズの成分の尖頭値を低減する、放電灯装置を提供することである。
【０００４】
【課題を解決するための手段】
本発明は、順直列に接続される一対のスイッチング素子３・４と、前記各スイッチング素子３・４を交互にオン・オフさせるスイッチング制御回路２と、前記各スイッチング素子３・４と逆並列に接続されるフライホイールダイオード１４・１５とを備え、前記各スイッチング素子３・４の接続中点に接続されるコンデンサ５、チョーク６、放電管１３へ交流電力を供給するインバータ回路を具備する。
また、順直列に接続される一対のスイッチング素子３・４を交互にオン・オフさせるスイッチング制御回路２の基本発振周波数を決定する抵抗８、コンデンサ９とコンデンサ１０、トランジスタ１１、発振器１２から形成される発振周波数を可変する回路を具備する。
本発明においては、前記コンデンサ９とコンデンサ１０、トランジスターー、発振器１２から形成される発振周波数を可変する回路により、インバータの高周波周期を上げかつ下げる動作を繰り返す可変手段を具備する。
【０００５】
【発明の実施の形態】
図１・図２を用いて本発明の実施形態について説明する。図示のインバータ装置は、順直列に接続される一対のスイッチング素子３・４と、前記各スイッチング素子３・４を交互にオン・オフさせるスイッチング制御回路２と、前記各スイッチング素子３・４と逆並列に接続されるフライホイールダイオード１４・１５とを備え、前記各スイッチング素子３１４の接続中点に接続されるコンデンサ５、チョーク６、放電管１３へ交流電力を供給するインバータ回路を具備する。
また、順直列に接続される一対のスイッチング素子３・４を交互にオン・オフさせるスイッチング制御回路２の基本発振周波数を決定する抵抗８、コンデンサ９とコンデンサ１０、トランジスタ１１、発振器１２から形成される発振周波数を可変する回路を具備する。
本発明においては、前記コンデンサ９とコンデンサ１０、トランジスタ１１、発振器１２から形成される発振周波数を可変する回路により、インパータの高周波周期を上げかつ下げる動作を繰り返す可変手段を具備する。
もう少し詳しく説明する。一対のスイッチング素子３・４はトランジスタである。ダイオード１４・１５は、各スイッチング素子３・４と逆並列に接続されるフライホイールダイオードである。誘導性負荷の例は故電灯（蛍光ランプ）１３と直列のバラストインダクタ６・放電灯１３の非電源側端子間に接続された予熱用コンデンサ７を含む故電灯点灯回路である。誘導性負荷の一端は各スイッチング素子３に接続される。誘導性負荷の他端はアーム用コンデンサ５を介して一対のスイッチング素子３・４の中点に接続される。スイッチング制御回路２の例は他励式回路であり、誘導性負荷に与える交流電力（インバータ出力）の周波数を適宜に調整する能力を持つ。
図１のインバータ回路のインバータ形式は一対のスイッチング素子３・４と一対のアーム用コンデンサ５とでブリッジアームを組む形態のハーフブリッジ形である。本インバータ回路においてスイッチング制御回路２の発振周波数はスイッチング制御回路２に接続された抵抗８、コンデンサ９による充放電によって決定される。本インバータ回路においては前記スイッチング制御回路２に接続されたコンデンサ９に対しコンデンサ１０、トランジスタ１１を並列に接続し、発振器１２によりトランジスタ１１をＯＮ、ＯＦＦさせ、コンデンサ１０がコンデンサ９に接続、未接続となることからコンデンサ９の充放電周期が変化する。それにより、スイッチング制御回路２の発振周波数が変化し、インバータの高周波周期を上げかつ下げる動作を繰り返す。それによりインパータの高周波周期が一定の幅で変化し、基本発振周波数の帯域が広くなり、それにより発生する第２次以降の高調波ノイズ成分の尖頭値を低減することを目的としたものである。
図２は前記インバータ回路から発生する基本発振周波数とそれにより発生する第２次以降の高調波ノイズ成分をグラフとして、示したものである。
図３では従来回路であるインバータの高周波周期一定のみで発振し、基本発振周波数の帯域が狭くなり、それにより発生する第２次以降の高調波ノイズ成分の尖頭値も高くなってしまう回路を示す。
図４は前記インバータ回路から発生する基本発振周波数とそれにより発生する第２次以降の高調波ノイズ成分をグラフとして、示したものである。
【０００８】
【発明の効果】
本発明は、直流電源電圧を高周波電圧に変換するインバータの高周波周期を一定の幅で可変させることにより、基本発振周波数の帯域を広くし、発生するノイズ成分の尖頭値の低減を行うことができる。
【図面の簡単な説明】
【図１】本発明装置の回路図である。
【図２】本発明装置の回路図から発生する基本発振周波数とそれにより発生する第２次以降の高調波ノイズ成分のグラフである。
【図３】従来技術の回路図である。
【図４】従来技術の回路図から発生する基本発振周波数とそれにより発生する第２次以降の高調波ノイズ成分のグラフである。
【符号の説明】
１：電源、２：スイッチング制御回路、３・４：スイッチング素子、５：アーム用コンデンサ、６：バラストインダクタ、７：予熱コンデンサ、８：抵抗、９：コンデンサ、１０：コンデンサ、１１：トランジスタ、１２：発振器、１３：蛍光ランプ、１４・１５：フライホイールダイオード
【図１】
2004127870.tif 000003
【図２】
2004127870.tif 000004
【図３】
2004127870.tif 000005
【図４】
2004127870.tif 000006